(57)【要約】  移動通信システムは、複数の無線端末の間でユーザデータの通信を、無線基地局を介さずに直接的に行う。前記複数の無線端末の間で直接的に行われるユーザデータの通信は、移動通信システムに割り当てられた無線リソースのうち、一部の無線リソースを用いて行われている。前記無線基地局は、前記複数の無線端末の間で直接的に行われるユーザデータの通信に割当てられた無線リソースを、前記ユーザデータを受信するための受信リソースとして割当てる基地局側制御部を備える。
2014003021.tif 000002
【特許請求の範囲】
【請求項１】
複数の無線端末の間でユーザデータの通信を、無線基地局を介さずに直接的に行う移動通信システムであって、
前記複数の無線端末の間で直接的に行われるユーザデータの通信は、前記移動通信システムに割り当てられた無線リソースのうち、一部の無線リソースを用いて行われており、
前記無線基地局は、前記複数の無線端末の間で直接的に行われるユーザデータの通信に割当てられた無線リソースを、前記ユーザデータを受信するための受信リソースとして割当てる基地局側制御部を備えることを特徴とする移動通信システム。
【請求項２】
前記複数の無線端末は、前記ユーザデータを送信する送信側端末と、前記ユーザデータを受信する受信側端末とを含み、
前記無線基地局は、前記送信側端末から送信された前記ユーザデータを前記受信側端末が受信することができたか否かを示す送達確認信号に基づいて、前記受信リソースを用いて受信する前記ユーザデータを前記受信側端末に再送する基地局側送信部を備えることを特徴とする請求項１に記載の移動通信システム。
【請求項３】
前記基地局側制御部は、前記複数の無線端末の間で直接的に行われるユーザデータの通信状態が劣悪である場合に、前記受信リソースを割当てることを特徴とする請求項１に記載の移動通信システム。
【請求項４】
前記基地局側送信部は、前記複数の無線端末の間で直接的に行われるユーザデータの通信状態が劣悪である場合に、前記ユーザデータの再送制御を行うことを特徴とする請求項２に記載の移動通信システム。
【請求項５】
前記複数の無線端末は、前記ユーザデータを送信する送信側端末と、前記ユーザデータを受信する受信側端末とを含み、
前記無線基地局は、前記送信側端末又は前記受信側端末から、前記ユーザデータの直接的な通信を制御するためのＤ２Ｄ制御信号を受信する基地局側受信部を備え、
前記基地局側制御部は、前記Ｄ２Ｄ制御信号に基づいて、前記受信リソースを割当てるか否かを判断することを特徴とする請求項1に記載の移動通信システム。
【請求項６】
前記複数の無線端末は、前記ユーザデータを送信する送信側端末と、前記ユーザデータを受信する受信側端末とを含み、
前記無線基地局は、前記送信側端末又は前記受信側端末から、前記ユーザデータの直接的な通信を制御するためのＤ２Ｄ制御信号を受信する基地局側受信部を備え、
前記基地局側送信部は、前記Ｄ２Ｄ制御信号に基づいて、前記ユーザデータの再送制御を行うことを特徴とする請求項３に記載の移動通信システム。
【請求項７】
前記Ｄ２Ｄ制御信号は、前記送信側端末から送信された前記ユーザデータを前記受信側端末が受信することができたか否かを示す送達確認信号、前記ユーザデータの通信に用いる送信電力及び前記ユーザデータの通信に用いる変調符号化方式のうち、少なくともいずれか１つであることを特徴とする請求項５に記載の移動通信システム。
【請求項８】
前記Ｄ２Ｄ制御信号は、前記受信リソースを割当てるか否かを指示する信号、前記ユーザデータの再送制御を要求する信号、前記ユーザデータの通信に用いる送信電力が閾値を上回ったことを示す信号、前記ユーザデータの通信に用いる変調符号化方式が閾値を下回ったことを示す信号、前記ユーザデータの通信に用いる送信電力が閾値を下回ったことを示す信号及び前記ユーザデータの通信に用いる変調符号化方式が閾値を上回ったことを示す信号のうち、少なくともいずれか１つであることを特徴とする請求項５に記載の移動通信システム。
【請求項９】
複数の無線端末の間でユーザデータの通信を、無線基地局を介さずに直接的に行う移動通信システムで用いる無線端末であって、
前記複数の無線端末の間で直接的に行われるユーザデータの通信は、前記移動通信システムに割り当てられた無線リソースのうち、一部の無線リソースを用いて行われており、
前記ユーザデータの直接的な通信を制御するためのＤ２Ｄ制御信号を前記無線基地局に送信する端末側送信部を備えることを特徴とする無線端末。
【請求項１０】
複数の無線端末の間でユーザデータの通信を、無線基地局を介さずに直接的に行う移動通信システムで用いる無線基地局であって、
前記複数の無線端末の間で直接的に行われるユーザデータの通信は、移動通信システムに割り当てられた無線リソースのうち、一部の無線リソースを用いて行われており、
前記複数の無線端末の間で直接的に行われるユーザデータの通信に割当てられた無線リソースを、前記ユーザデータを受信するための受信リソースとして割当てる基地局側制御部を備えることを特徴とする無線基地局。
【請求項１１】
複数の無線端末の間でユーザデータの通信を、無線基地局を介さずに直接的に行う移動通信システムで用いる移動通信方法であって、
前記複数の無線端末の間で直接的に行われるユーザデータの通信は、前記移動通信システムに割り当てられた無線リソースのうち、一部の無線リソースを用いて行われており、
前記無線基地局が、前記複数の無線端末の間で直接的に行われるユーザデータの通信に割当てられた無線リソースを、前記ユーザデータを受信するための受信リソースとして割当てるステップＡを備えることを特徴とする移動通信方法。
【請求項１２】
複数の無線端末の間でユーザデータの通信を、無線基地局を介さずに直接的に行う移動通信システムで用いる無線端末に処理を実行させるプロセッサであって、
前記複数の無線端末の間で直接的に行われるユーザデータの通信は、前記移動通信システムに割り当てられた無線リソースのうち、一部の無線リソースを用いて行われており、
前記ユーザデータの直接的な通信を制御するためのＤ２Ｄ制御信号を前記無線基地局に送信する処理を前記無線端末に実行させることを特徴とするプロセッサ。
【発明の詳細な説明】
【技術分野】
【０００１】
本発明は、複数の無線端末の間でユーザデータの通信を直接的に行う移動通信システム、移動通信システムで用いる無線端末、移動通信システムで用いる無線基地局、移動通信システムで用いる移動通信方法、無線端末に処理を実行させるプロセッサに関する。
【背景技術】
【０００２】
近年、複数の無線端末の間でユーザデータ（Ｕｓｅｒ−Ｐｌａｎｅのデータ）の通信を、無線基地局を介さずに直接的に行う技術が提案されている（Ｄ２Ｄ通信）。複数の無線端末の間で直接的に行われるユーザデータの通信は、移動通信システムに割り当てられた無線リソースのうち、一部の無線リソースを用いて行われる。但し、Ｄ２Ｄ通信では、制御データ（Ｃ−Ｐｌａｎｅ）のデータの通信は、従来の移動通信システムと同様に、無線基地局を経由して行われる。【０００３】
ところで、一般的には、送信側端末から送信されたデータを受信することができたか否かを示す送達確認信号（Ａｃｋ／Ｎａｃｋ信号）を受信側端末から送信側端末に送信することによって再送制御が行われる。【０００４】
一方で、Ｄ２Ｄ通信では、無線基地局は、複数の無線端末の間で通信されるユーザデータを受信することが可能である。従って、Ｄ２Ｄ通信では、再送制御の方法として、様々な方法を検討することが可能である。
【発明の概要】
【０００５】
第１の特徴に係る移動通信システムは、複数の無線端末の間でユーザデータの通信を、無線基地局を介さずに直接的に行う。前記複数の無線端末の間で直接的に行われるユーザデータの通信は、移動通信システムに割り当てられた無線リソースのうち、一部の無線リソースを用いて行われている。前記無線基地局は、前記複数の無線端末の間で直接的に行われるユーザデータの通信に割当てられた無線リソースを、前記ユーザデータを受信するための受信リソースとして割当てる基地局側制御部を備える。
【０００６】
第２の特徴に係る無線端末は、複数の無線端末の間でユーザデータの通信を、無線基地局を介さずに直接的に行う移動通信システムで用いる。前記複数の無線端末の間で直接的に行われるユーザデータの通信は、移動通信システムに割り当てられた無線リソースのうち、一部の無線リソースを用いて行われている。無線端末は、前記ユーザデータの直接的な通信を制御するためのＤ２Ｄ制御信号を前記無線基地局に送信する端末側送信部を備える。
【０００７】
第３の特徴に係る無線基地局は、複数の無線端末の間でユーザデータの通信を、無線基地局を介さずに直接的に行う移動通信システムで用いる。前記複数の無線端末の間で直接的に行われるユーザデータの通信は、移動通信システムに割り当てられた無線リソースのうち、一部の無線リソースを用いて行われている。無線基地局は、前記複数の無線端末の間で直接的に行われるユーザデータの通信に割当てられた無線リソースを、前記ユーザデータを受信するための受信リソースとして割当てる基地局側制御部を備える。
【０００８】
第４の特徴に係る移動通信方法は、複数の無線端末の間でユーザデータの通信を、無線基地局を介さずに直接的に行う移動通信システムで用いる。前記複数の無線端末の間で直接的に行われるユーザデータの通信は、移動通信システムに割り当てられた無線リソースのうち、一部の無線リソースを用いて行われている。移動通信方法は、前記無線基地局が、前記複数の無線端末の間で直接的に行われるユーザデータの通信に割当てられた無線リソースを、前記ユーザデータを受信するための受信リソースとして割当てるステップＡを備える。
【０００９】
第５の特徴に係るプロセッサは、複数の無線端末の間でユーザデータの通信を、無線基地局を介さずに直接的に行う移動通信システムで用いる無線端末に処理を実行させる。前記複数の無線端末の間で直接的に行われるユーザデータの通信は、移動通信システムに割り当てられた無線リソースのうち、一部の無線リソースを用いて行われている。プロセッサは、前記ユーザデータの直接的な通信を制御するためのＤ２Ｄ制御信号を前記無線基地局に送信する処理を前記無線端末に実行させる。
【図面の簡単な説明】
【００１０】
【図１】図１は、第１実施形態に係る移動通信システム１００を示す図である。
【図２】図２は、第１実施形態に係る無線フレームを示す図である。
【図３】図３は、第１実施形態に係る無線リソースを示す図である。
【図４】図４は、第１実施形態に係る適用ケースを示す図である。
【図５】図５は、第１実施形態に係る再送制御例１を説明するための図である。
【図６】図６は、第１実施形態に係る再送制御例２を説明するための図である。
【図７】図７は、第１実施形態に係る再送制御例３を説明するための図である。
【図８】図８は、第１実施形態に係る再送制御例４を説明するための図である。
【図９】図９は、第１実施形態に係る再送制御例５を説明するための図である。
【図１０】図１０は、第１実施形態に係る受信リソースを説明するための図である。
【図１１】図１１は、第１実施形態に係る受信リソースを説明するための図である。
【図１２】図１２は、第１実施形態に係るＵＥ１０Ａ（送信側端末）を示す図である。
【図１３】図１３は、第１実施形態に係るＵＥ１０Ｂ（受信側端末）を示す図である。
【図１４】図１４は、第１実施形態に係る無線基地局３１０を示す図である。
【図１５】図１５は、第１実施形態に係る移動通信システム１００の動作を示すシーケンス図である。
【図１６】図１６は、第１実施形態に係る移動通信システム１００の動作を示すシーケンス図である。
【図１７】図１７は、第１実施形態に係る移動通信システム１００の動作を示すシーケンス図である。
【図１８】図１８は、第１実施形態に係る移動通信システム１００の動作を示すシーケンス図である。
【図１９】図１９は、第１実施形態に係る移動通信システム１００の動作を示すシーケンス図である。
【図２０】図２０は、第１実施形態に係る移動通信システム１００の動作を示すシーケンス図である。
【図２１】図２１は、変更例１に係る移動通信システム１００の動作を示すシーケンス図である。
【図２２】図２２は、変更例１に係る移動通信システム１００の動作を示すシーケンス図である。
【発明を実施するための形態】
【００１１】
以下において、本発明の実施形態に係る移動通信システムについて、図面を参照しながら説明する。なお、以下の図面の記載において、同一又は類似の部分には、同一又は類似の符号を付している。
【００１２】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１３】
［実施形態の概要］
実施形態に係る移動通信システムは、複数の無線端末の間でユーザデータの通信を、無線基地局を介さずに直接的に行う。前記複数の無線端末の間で直接的に行われるユーザデータの通信は、移動通信システムに割り当てられた無線リソースのうち、一部の無線リソースを用いて行われている。前記無線基地局は、前記複数の無線端末の間で直接的に行われるユーザデータの通信に割当てられた無線リソースを、前記ユーザデータを受信するための受信リソースとして割当てる基地局側制御部を備える。
【００１４】
実施形態では、無線基地局は、複数の無線端末の間で直接的に通信されるユーザデータを受信するための受信リソースを割当てる。すなわち、無線基地局は、複数の無線端末の間で通信されるユーザデータを無線基地局が受信することができる。従って、例えば、送達確認信号を無線基地局に送信することによって、無線基地局によってユーザデータの再送制御を行うことができる。
【００１５】
ここで、複数の無線端末の間で無線基地局を介さずに直接的に行われる通信は、Ｄ２Ｄ通信と称されることもある。Ｄ２Ｄ通信では、移動通信システムに割り当てられた無線リソースのうち、一部の無線リソース（Ｄ２Ｄ無線リソース）を用いて行われている。Ｄ２Ｄ無線リソースとしては、例えば、上りリンクの無線リソースの一部が用いられる。
【００１６】
また、Ｄ２Ｄ通信においてユーザデータの通信に用いる無線リソースは、無線基地局によって割当てられてもよく、無線端末（送信側端末又は受信側端末）によって割当てられてもよい。
【００１７】
［第１実施形態］
（移動通信システム）
以下において、第１実施形態に係る移動通信システムについて説明する。図１は、第１実施形態に係る移動通信システム１００を示す図である。
【００１８】
図１に示すように、移動通信システム１００は、無線端末１０（以下、ＵＥ１０）と、コアネットワーク５０とを含む。また、移動通信システム１００は、第１通信システムと第２通信システムとを含む。
【００１９】
第１通信システムは、例えば、ＬＴＥ（Ｌｏｎｇ  Ｔｅｒｍ  Ｅｖｏｌｕｔｉｏｎ）に対応する通信システムである。第１通信システムは、例えば、基地局１１０Ａ（以下、ＭｅＮＢ１１０Ａ）と、ホーム基地局１１０Ｂ（以下、ＨｅＮＢ１１０Ｂ）と、ホーム基地局ゲートウェイ１２０Ｂ（以下、ＨｅＮＢ−ＧＷ１２０Ｂ）と、ＭＭＥ１３０とを有する。
【００２０】
なお、第１通信システムに対応する無線アクセスネットワーク（Ｅ−ＵＴＲＡＮ；Ｅｖｏｌｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）は、ＭｅＮＢ１１０Ａ、ＨｅＮＢ１１０Ｂ及びＨｅＮＢ−ＧＷ１２０Ｂによって構成される。
【００２１】
第２通信システムは、例えば、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）に対応する通信システムである。第２通信システムは、基地局２１０Ａ（以下、ＭＮＢ２１０Ａ）と、ホーム基地局２１０Ｂ（以下、ＨＮＢ２１０Ｂ）と、ＲＮＣ２２０Ａと、ホーム基地局ゲートウェイ２２０Ｂ（以下、ＨＮＢ−ＧＷ２２０Ｂ）と、ＳＧＳＮ２３０とを有する。
【００２２】
なお、第２通信システムに対応する無線アクセスネットワーク（ＵＴＲＡＮ；Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）は、ＭＮＢ２１０Ａ、ＨＮＢ２１０Ｂ、ＲＮＣ２２０Ａ、ＨＮＢ−ＧＷ２２０Ｂによって構成される。
【００２３】
ＵＥ１０は、第２通信システム或いは第１通信システムと通信を行うように構成された装置（Ｕｓｅｒ  Ｅｑｕｉｐｍｅｎｔ）である。例えば、ＵＥ１０は、ＭｅＮＢ１１０Ａ及びＨｅＮＢ１１０Ｂと無線通信を行う機能を有する。或いは、ＵＥ１０は、ＭＮＢ２１０Ａ及びＨＮＢ２１０Ｂと無線通信を行う機能を有する。
【００２４】
ＭｅＮＢ１１０Ａは、一般セル１１１Ａを管理しており、一般セル１１１Ａに存在するＵＥ１０と無線通信を行う装置（ｅｖｏｌｖｅｄ  ＮｏｄｅＢ）である。
【００２５】
ＨｅＮＢ１１０Ｂは、特定セル１１１Ｂを管理しており、特定セル１１１Ｂに存在するＵＥ１０と無線通信を行う装置（Ｈｏｍｅ  ｅｖｏｌｖｅｄ  ＮｏｄｅＢ）である。
【００２６】
ＨｅＮＢ−ＧＷ１２０Ｂは、ＨｅＮＢ１１０Ｂに接続されており、ＨｅＮＢ１１０Ｂを管理する装置（Ｈｏｍｅ  ｅｖｏｌｖｅｄ  ＮｏｄｅＢ  Ｇａｔｅｗａｙ）である。
【００２７】
ＭＭＥ１３０は、ＭｅＮＢ１１０Ａと接続されており、ＭｅＮＢ１１０Ａと無線接続を設定しているＵＥ１０の移動性を管理する装置（Ｍｏｂｉｌｉｔｙ  Ｍａｎａｇｅｍｅｎｔ  Ｅｎｔｉｔｙ）である。また、ＭＭＥ１３０は、ＨｅＮＢ−ＧＷ１２０Ｂを介してＨｅＮＢ１１０Ｂと接続されており、ＨｅＮＢ１１０Ｂと無線接続を設定しているＵＥ１０の移動性を管理する装置である。
【００２８】
ＭＮＢ２１０Ａは、一般セル２１１Ａを管理しており、一般セル２１１Ａに存在するＵＥ１０と無線通信を行う装置（ＮｏｄｅＢ）である。
【００２９】
ＨＮＢ２１０Ｂは、特定セル２１１Ｂを管理しており、特定セル２１１Ｂに存在するＵＥ１０と無線通信を行う装置（Ｈｏｍｅ  ＮｏｄｅＢ）である。
【００３０】
ＲＮＣ２２０Ａは、ＭＮＢ２１０Ａに接続されており、一般セル２１１Ａに存在するＵＥ１０と無線接続（ＲＲＣ  Ｃｏｎｎｅｃｔｉｏｎ）を設定する装置（Ｒａｄｉｏ  Ｎｅｔｗｏｒｋ  Ｃｏｎｔｒｏｌｌｅｒ）である。
【００３１】
ＨＮＢ−ＧＷ２２０Ｂは、ＨＮＢ２１０Ｂに接続されており、特定セル２１１Ｂに存在するＵＥ１０と無線接続（ＲＲＣ  Ｃｏｎｎｅｃｔｉｏｎ）を設定する装置（Ｈｏｍｅ  ＮｏｄｅＢ  Ｇａｔｅｗａｙ）である。
【００３２】
ＳＧＳＮ２３０は、パケット交換ドメインにおいてパケット交換を行う装置（Ｓｅｒｖｉｎｇ  ＧＰＲＳ  Ｓｕｐｐｏｒｔ  Ｎｏｄｅ）である。ＳＧＳＮ２３０は、コアネットワーク５０に設けられる。図１では省略しているが、回線交換ドメインにおいて回線交換を行う装置（ＭＳＣ；Ｍｏｂｉｌｅ  Ｓｗｉｔｃｈｉｎｇ  Ｃｅｎｔｅｒ）がコアネットワーク５０に設けられていてもよい。
【００３３】
なお、一般セル及び特定セルは、ＵＥ１０と無線通信を行う機能として理解すべきである。但し、一般セル及び特定セルは、セルのカバーエリアを示す用語としても用いられる。また、一般セル及び特定セルなどのセルは、セルで用いられる周波数、拡散コード又はタイムスロットなどによって識別される。
【００３４】
ここで、一般セルのカバーエリアは、特定セルのカバーエリアよりも広い。一般セルは、例えば、通信事業者によって提供されるマクロセルである。特定セルは、例えば、通信事業者以外の第三者によって提供されるフェムトセル又はホームセルである。但し、特定セルは、通信事業者によって提供されるＣＳＧ（Ｃｌｏｓｅｄ  Ｓｕｂｓｃｒｉｂｅｒ  Ｇｒｏｕｐ）セル又はピコセルであってもよい。
【００３５】
なお、以下においては、第１通信システムについて主として説明する。但し、以下の記載が第２通信システムに適用されてもよい。
【００３６】
ここで、第１通信システムでは、下りリンクの多重方式として、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式が用いられており、上りリンクの多重方式として、ＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式が用いられる。
【００３７】
また、第１通信システムでは、上りリンクのチャネルとして、上りリンク制御チャネル（ＰＵＣＣＨ；Ｐｈｙｓｉｃａｌ  Ｕｐｌｉｎｋ  Ｃｏｎｔｒｏｌ  Ｃｈａｎｎｅｌ）及び上りリンク共有チャネル（ＰＵＳＣＨ；Ｐｈｙｓｉｃａｌ  Ｕｐｌｉｎｋ  Ｓｈａｒｅｄ  Ｃｈａｎｎｅｌ）などが存在する。また、下りリンクのチャネルとして、下りリンク制御チャネル（ＰＤＣＣＨ；Ｐｈｙｓｉｃａｌ  Ｄｏｗｎｌｉｎｋ  Ｃｏｎｔｒｏｌ  Ｃｈａｎｎｅｌ）及び下りリンク共有チャネル（ＰＤＳＣＨ；Ｐｈｙｓｉｃａｌ  Ｄｏｗｎｌｉｎｋ  Ｓｈａｒｅｄ  Ｃｈａｎｎｅｌ）などが存在する。
【００３８】
上りリンク制御チャネルは、制御信号を搬送するチャネルである。制御信号は、例えば、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｏｒ）、ＳＲ（Ｓｃｈｅｄｕｌｉｎｇ  Ｒｅｑｕｅｓｔ）、ＡＣＫ／ＮＡＣＫなどである。
【００３９】
ＣＱＩは、下りリンクの伝送に使用すべき推奨変調方式と符号化速度を通知する信号である。ＰＭＩは、下りリンクの伝送の為に使用することが望ましいプリコーダマトリックスを示す信号である。ＲＩは、下りリンクの伝送に使用すべきレイヤ数（ストリーム数）を示す信号である。ＳＲは、上りリンク無線リソース（後述するリソースブロック）の割当てを要求する信号である。ＡＣＫ／ＮＡＣＫは、下りリンクのチャネル（例えば、ＰＤＳＣＨ）を介して送信される信号を受信できたか否かを示す信号である。
【００４０】
上りリンク共有チャネルは、制御信号（上述した制御信号を含む）又は／及びデータ信号を搬送するチャネルである。例えば、上りリンク無線リソースは、データ信号にのみ割当てられてもよく、データ信号及び制御信号が多重されるように割当てられてもよい。
【００４１】
下りリンク制御チャネルは、制御信号を搬送するチャネルである。制御信号は、例えば、Ｕｐｌｉｎｋ  ＳＩ（Ｓｃｈｅｄｕｌｉｎｇ  Ｉｎｆｏｒｍａｔｉｏｎ）、Ｄｏｗｎｌｉｎｋ  ＳＩ（Ｓｃｈｅｄｕｌｉｎｇ  Ｉｎｆｏｒｍａｔｉｏｎ）、ＴＰＣビットである。
【００４２】
Ｕｐｌｉｎｋ  ＳＩは、上りリンク無線リソースの割当てを示す信号である。Ｄｏｗｎｌｉｎｋ  ＳＩは、下りリンク無線リソースの割当てを示す信号である。ＴＰＣビットは、上りリンクのチャネルを介して送信される信号の電力の増減を指示する信号である。
【００４３】
下りリンク共有チャネルは、制御信号又は／及びデータ信号を搬送するチャネルである。例えば、下りリンク無線リソースは、データ信号にのみ割当てられてもよく、データ信号及び制御信号が多重されるように割当てられてもよい。
【００４４】
なお、下りリンク共有チャネルを介して送信される制御信号としては、ＴＡ（Ｔｉｍｉｎｇ  Ａｄｖａｎｃｅ）が挙げられる。ＴＡは、ＵＥ１０とＭｅＮＢ１１０Ａとの間の送信タイミング補正情報であり、ＵＥ１０から送信される上りリンク信号に基づいてＭｅＮＢ１１０Ａによって測定される。
【００４５】
また、下りリンク制御チャネル（ＰＤＣＣＨ）、下りリンク共有チャネル（ＰＤＳＣＨ）以外のチャネルを介して送信される制御信号としては、ＡＣＫ／ＮＡＣＫが挙げられる。ＡＣＫ／ＮＡＣＫは、上りリンクのチャネル（例えば、ＰＵＳＣＨ）を介して送信される信号を受信できたか否かを示す信号である。
【００４６】
なお、一般セル及び特定セルは、報知チャネル（ＢＣＣＨ；Ｂｒｏａｄｃａｓｔ  Ｃｏｎｔｒｏｌ  Ｃｈａｎｎｅｌ）を介して報知情報を報知する。報知情報は、例えば、ＭＩＢ（Ｍａｓｔｅｒ  Ｉｎｆｏｒｍａｔｉｏｎ  Ｂｌｏｃｋ）やＳＩＢ（Ｓｙｓｔｅｍ  Ｉｎｆｏｒｍａｔｉｏｎ  Ｂｌｏｃｋ）などの情報である。
【００４７】
ここで、図１では、特に図示していないが、第１通信システムは、ＭｅＮＢ１１０Ａ（又はＨｅＮＢ１１０Ｂ）とＵＥ１０との間のデータ通信を中継するリレーノードを有していてもよい。同様に、第２通信システムは、ＭＮＢ２１０Ａ（又はＨＮＢ２１０Ｂ）との間のデータ通信を中継するリレーノードを有していてもよい。
【００４８】
（無線フレーム）
以下において、第１通信システムにおける無線フレームについて説明する。図２は、第１通信システムにおける無線フレームを示す図である。
【００４９】
図２に示すように、１つの無線フレームは、１０のサブフレームによって構成されており、１つのサブフレームは、２つのスロットによって構成される。１つのスロットの時間長は、０．５ｍｓｅｃであり、１つのサブフレームの時間長は、１ｍｓｅｃであり、１つの無線フレームの時間長は、１０ｍｓｅｃである。
【００５０】
なお、１つのスロットは、下りリンクにおいて、複数のＯＦＤＭシンボル（例えば、６つのＯＦＤＭシンボル或いは７つのＯＦＤＭシンボル）によって構成される。同様に、１つのスロットは、上りリンクにおいて、複数のＳＣ−ＦＤＭＡシンボル（例えば、６つのＳＣ−ＦＤＭＡシンボル或いは７つのＳＣ−ＦＤＭＡシンボル）によって構成される。
【００５１】
（無線リソース）
以下において、第１通信システムにおける無線リソースについて説明する。図３は、第１通信システムにおける無線リソースを示す図である。
【００５２】
図３に示すように、無線リソースは、周波数軸及び時間軸によって定義される。周波数は、複数のサブキャリアによって構成されており、所定数のサブキャリア（１２のサブキャリア）を纏めてリソースブロック（ＲＢ：Ｒｅｓｏｕｒｃｅ  Ｂｌｏｃｋ）と称する。時間は、上述したように、ＯＦＤＭシンボル（又は、ＳＣ−ＦＤＭＡシンボル）、スロット、サブフレーム、無線フレームなどの単位を有する。
【００５３】
ここで、無線リソースは、１リソースブロック毎に割当て可能である。また、周波数軸及び時間軸上において、複数のユーザ（例えば、ユーザ＃１〜ユーザ＃５）に対して分割して無線リソースを割当てることが可能である。
【００５４】
また、無線リソースは、ＭｅＮＢ１１０Ａによって割当てられる。ＭｅＮＢ１１０Ａは、ＣＱＩ、ＰＭＩ、ＲＩなどに基づいて、各ＵＥ１０に割当てられる。
【００５５】
（適用ケース）
以下において、第１実施形態に係る適用ケースについて説明する。図４は、第１実施形態に係る適用ケースについて説明するための図である。図４では、ＵＥ１０として、ＵＥ１０Ａ及びＵＥ１０Ｂが示されている。無線基地局３１０は、ＭｅＮＢ１１０Ａ又はＨｅＮＢ１１０Ｂであることが好ましい。但し、無線基地局３１０は、ＭＮＢ２１０Ａ又はＨＮＢ２１０Ｂであってもよい。或いは、無線基地局３１０は、リレーノードであってもよい。ネットワーク装置３３０は、コアネットワーク５０に設けられる装置である。ネットワーク装置３３０は、ＭＭＥ１３０であってもよく、ＳＧＳＮ２３０であってもよい。
【００５６】
図４に示すように、複数の無線端末の間でユーザデータ（Ｕｓｅｒ−Ｐｌａｎｅのデータ）の通信は、無線基地局を介さずに直接的に行われる（以下、Ｄ２Ｄ通信）。一方で、制御データ（Ｃ−Ｐｌａｎｅ）のデータの通信は、従来の移動通信システムと同様に、無線基地局を経由して行われる。
【００５７】
ここで、Ｄ２Ｄ通信は、移動通信システムに割り当てられた無線リソースのうち、一部の無線リソース（以下、Ｄ２Ｄ無線リソース）を用いて行われる。Ｄ２Ｄ無線リソースとしては、例えば、上りリンクの無線リソースの一部が用いられる。Ｄ２Ｄ通信においてユーザデータの通信に用いる無線リソースは、無線基地局によって割当てられてもよく、無線端末（送信側端末又は受信側端末）によって割当てられてもよい。
【００５８】
Ｄ２Ｄ無線リソースは、例えば、無線基地局によって管理される各セルから報知されることが好ましい。Ｄ２Ｄ無線リソースは、例えば、（Ｍａｓｔｅｒ  Ｉｎｆｏｒｍａｔｉｏｎ  Ｂｌｏｃｋ）やＳＩＢ（Ｓｙｓｔｅｍ  Ｉｎｆｏｒｍａｔｉｏｎ  Ｂｌｏｃｋ）に含まれる。
【００５９】
（再送制御例１）
以下において、第１実施形態に係る再送制御例１について説明する。図５は、第１実施形態に係る再送制御例１について説明するための図である。図５では、ＵＥ１０として、ＵＥ１０Ａ及びＵＥ１０Ｂが示されている。ＵＥ１０Ａは、送信側端末の一例であり、ＵＥ１０Ｂは、受信側端末の一例である。
【００６０】
図５に示すように、ＵＥ１０Ｂは、ＵＥ１０Ａから送信されたユーザデータを受信することができたか否かを示す送達確認信号（ＡＣＫ／ＮＡＣＫ）を無線基地局３１０に送信する。無線基地局３１０は、ＵＥ１０Ｂから受信する送達確認信号に応じて、送達確認信号をＵＥ１０Ａに送信する。例えば、無線基地局３１０は、ＵＥ１０Ｂから受信する送達確認信号をＵＥ１０Ａに中継してもよい。或いは、無線基地局３１０は、Ｄ２Ｄ通信においてユーザデータの通信に用いる無線リソースをＵＥ１０Ａに割り当てる信号とともに、送達確認信号をＵＥ１０Ａに送信してもよい。
【００６１】
ＵＥ１０Ａは、送達確認信号がユーザデータを受信することができないことを示すＮＡＣＫである場合に、ユーザデータをＵＥ１０Ｂに再送する。
【００６２】
上述したように、再送制御例１は、ＵＥ１０Ａ（送信側端末）が再送制御を行うケースであることに留意すべきである。
【００６３】
（再送制御例２）
以下において、第１実施形態に係る再送制御例２について説明する。図６は、第１実施形態に係る再送制御例２について説明するための図である。図６では、ＵＥ１０として、ＵＥ１０Ａ及びＵＥ１０Ｂが示されている。ＵＥ１０Ａは、送信側端末の一例であり、ＵＥ１０Ｂは、受信側端末の一例である。
【００６４】
図６に示すように、ＵＥ１０Ｂは、ＵＥ１０Ａから送信されたユーザデータを受信することができたか否かを示す送達確認信号（ＡＣＫ／ＮＡＣＫ）をＵＥ１０Ａに送信する。ＵＥ１０Ａは、送達確認信号がユーザデータを受信することができないことを示すＮＡＣＫである場合に、ユーザデータをＵＥ１０Ｂに再送する。
【００６５】
上述したように、再送制御例２は、ＵＥ１０Ａ（送信側端末）が再送制御を行うケースであることに留意すべきである。
【００６６】
（再送制御例３）
以下において、第１実施形態に係る再送制御例３について説明する。図７は、第１実施形態に係る再送制御例３について説明するための図である。図７では、ＵＥ１０として、ＵＥ１０Ａ及びＵＥ１０Ｂが示されている。ＵＥ１０Ａは、送信側端末の一例であり、ＵＥ１０Ｂは、受信側端末の一例である。
【００６７】
図７に示すように、ＵＥ１０Ｂは、ＵＥ１０Ａから送信されたユーザデータを受信することができたか否かを示す送達確認信号（ＡＣＫ／ＮＡＣＫ）をＵＥ１０Ａ及び無線基地局３１０に送信する。無線基地局３１０は、ＵＥ１０Ｂから受信する送達確認信号に応じて、送達確認信号をＵＥ１０Ａに送信する。例えば、無線基地局３１０は、ＵＥ１０Ｂから受信する送達確認信号をＵＥ１０Ａに中継してもよい。或いは、無線基地局３１０は、Ｄ２Ｄ通信においてユーザデータの通信に用いる無線リソースをＵＥ１０Ａに割り当てる信号とともに、送達確認信号をＵＥ１０Ａに送信してもよい。ＵＥ１０Ａは、ＵＥ１０Ｂから受信する送達確認信号及び無線基地局３１０を経由して受信する送達確認信号に基づいて、ユーザデータの再送制御を行う。
【００６８】
例えば、ＵＥ１０Ａは、ＵＥ１０Ｂ及び無線基地局３１０から受信する送達確認信号のいずれか一方がＮＡＣＫである場合に、ユーザデータをＵＥ１０Ｂに再送する。或いは、ＵＥ１０Ａは、ＵＥ１０ＡとＵＥ１０Ｂとの間で直接的に行われるユーザデータの通信状態が良好である場合に、無線基地局３１０を経由して受信する送達確認信号を参照せずに、ＵＥ１０Ｂから受信する送達確認信号を参照してもよい。このようなケースにおいて、ＵＥ１０Ａは、無線基地局３１０を経由して受信する送達確認信号を参照するか否かを無線基地局３１０に通知することが好ましい。無線基地局３１０は、送達確認信号を参照しない旨が通知された場合に、ＵＥ１０Ａに対する送達確認信号の送信を省略することが好ましい。
【００６９】
或いは、ＵＥ１０Ｂは、ＵＥ１０ＡとＵＥ１０Ｂとの間で直接的に行われるユーザデータの通信状態が良好である場合に、無線基地局３１０に対する送達確認信号の送信を省略してもよい。言い換えると、ＵＥ１０Ｂは、ＵＥ１０ＡとＵＥ１０Ｂとの間で直接的に行われるユーザデータの通信状態が劣悪である場合に、無線基地局３１０に送達確認信号を送信する。
【００７０】
ここで、通信状態が良好であるケースは、ユーザデータの通信に用いる送信電力が閾値を下回っているケース、又は、ユーザデータの通信に用いる変調符号化方式が閾値を上回っているケースである。或いは、通信状態が良好であるケースは、ブロックエラーレートが閾値を下回っているケース、パケットエラーレートが閾値を下回っているケース、ＱｏＳが満たされているケース、ＣＱＩが閾値を上回っているケース、ＵＥ１０Ａの処理負荷が閾値を下回っているケースであってもよい。
【００７１】
また、通信状態が劣悪であるケースは、ユーザデータの通信に用いる送信電力が閾値を上回っているケース、又は、ユーザデータの通信に用いる変調符号化方式が閾値を下回っているケースである。或いは、通信状態が劣悪であるケースは、ブロックエラーレートが閾値を上回っているケース、パケットエラーレートが閾値を上回っているケース、ＱｏＳが満たされていないケース、ＣＱＩが閾値を下回っているケース、ＵＥ１０Ａの処理負荷が閾値を上回っているケースであってもよい。
【００７２】
上述したように、再送制御例３は、ＵＥ１０Ａ（送信側端末）が再送制御を行うケースであることに留意すべきである。
【００７３】
（再送制御例４）
以下において、第１実施形態に係る再送制御例４について説明する。図８は、第１実施形態に係る再送制御例４について説明するための図である。図８では、ＵＥ１０として、ＵＥ１０Ａ及びＵＥ１０Ｂが示されている。ＵＥ１０Ａは、送信側端末の一例であり、ＵＥ１０Ｂは、受信側端末の一例である。
【００７４】
図８に示すように、ＵＥ１０Ｂは、ＵＥ１０Ａから送信されたユーザデータを受信することができたか否かを示す送達確認信号（ＡＣＫ／ＮＡＣＫ）を無線基地局３１０に送信する。無線基地局３１０は、ＵＥ１０ＡとＵＥ１０Ｂとの間で直接的に行われるユーザデータの通信に割当てられた無線リソースを、ユーザデータを受信するための受信リソースとして割当てる。これによって、無線基地局３１０は、ＵＥ１０ＡからＵＥ１０Ｂに送信されたユーザデータを受信することができる。無線基地局３１０は、送達確認信号がユーザデータを受信することができないことを示すＮＡＣＫである場合に、ユーザデータをＵＥ１０Ｂに再送する。
【００７５】
上述したように、再送制御例４は、無線基地局３１０が再送制御を行うケースであることに留意すべきである。
【００７６】
（再送制御例５）
以下において、第１実施形態に係る再送制御例５について説明する。図９は、第１実施形態に係る再送制御例５について説明するための図である。図９では、ＵＥ１０として、ＵＥ１０Ａ及びＵＥ１０Ｂが示されている。ＵＥ１０Ａは、送信側端末の一例であり、ＵＥ１０Ｂは、受信側端末の一例である。
【００７７】
図９に示すように、ＵＥ１０Ｂは、ＵＥ１０Ａから送信されたユーザデータを受信することができたか否かを示す送達確認信号（ＡＣＫ／ＮＡＣＫ）をＵＥ１０Ａに送信する。ＵＥ１０Ａは、送達確認信号がユーザデータを受信することができないことを示すＮＡＣＫである場合に、ユーザデータの再送要求を無線基地局３１０に送信する。無線基地局３１０は、ＵＥ１０ＡとＵＥ１０Ｂとの間で直接的に行われるユーザデータの通信に割当てられた無線リソースを、ユーザデータを受信するための受信リソースとして割当てる。これによって、無線基地局３１０は、ＵＥ１０ＡからＵＥ１０Ｂに送信されたユーザデータを受信することができる。無線基地局３１０は、再送要求を受信した場合に、ユーザデータをＵＥ１０Ｂに再送する。
【００７８】
上述したように、再送制御例５は、無線基地局３１０が再送制御を行うケースであることに留意すべきである。
【００７９】
（受信リソース）
以下において、第１実施形態に係る受信リソースについて説明する。図１０及び図１１は、第１実施形態に係る受信リソースを説明するための図である。
【００８０】
図１０に示すように、ＵＥ１０ＡからＵＥ１０Ｂに送信されたユーザデータを受信するための受信リソースとして、Ｄ２Ｄ通信に割当てられた無線リソースが割当てられてない場合には、無線基地局３１０は、ＵＥ１０ＡからＵＥ１０Ｂに送信されたユーザデータを受信することができない。このようなケースでは、無線基地局３１０は、Ｄ２Ｄ通信に割当てられた無線リソースを用いて、他のＵＥ１０から上りリンクのユーザデータを受信することができる。
【００８１】
図１１に示すように、ＵＥ１０ＡからＵＥ１０Ｂに送信されたユーザデータを受信するための受信リソースとして、Ｄ２Ｄ通信に割当てられた無線リソースが割当てられている場合には、無線基地局３１０は、ＵＥ１０ＡからＵＥ１０Ｂに送信されたユーザデータを受信することができる。このようなケースでは、無線基地局３１０は、Ｄ２Ｄ通信に割当てられた無線リソースを用いて、他のＵＥ１０から上りリンクのユーザデータを受信することができない。
【００８２】
（送信側端末）
以下において、第１実施形態に係る送信側端末について説明する。ここでは、送信側端末として、ＵＥ１０Ａを例示する。図１２は、第１実施形態に係るＵＥ１０Ａを示すブロック図である。
【００８３】
図１２に示すように、ＵＥ１０Ａは、受信部１３Ａと、送信部１４Ａと、制御部１５Ａとを有する。
【００８４】
受信部１３Ａは、セルラ通信において、無線基地局３１０からデータを受信する。受信部１３Ａは、Ｄ２Ｄ通信において、ＵＥ１０Ｂからデータを受信する。例えば、受信部１３Ａは、Ｄ２Ｄ通信において、ユーザデータを受信できたか否かを示す送達確認信号（ＡＣＫ／ＮＡＣＫ）をＵＥ１０Ｂから受信してもよい。上述したように、受信部１３Ａは、Ｄ２Ｄ通信において、無線基地局３１０を経由して送達確認信号を受信してもよい。
【００８５】
送信部１４Ａは、セルラ通信において、無線基地局３１０にデータを送信する。送信部１４Ａは、Ｄ２Ｄ通信において、ＵＥ１０Ｂにデータを送信する。例えば、送信部１４Ａは、Ｄ２Ｄ通信において、ユーザデータをＵＥ１０Ｂに送信する。また、送信部１４Ａは、制御部１５Ａから出力される指示に応じて、ユーザデータをＵＥ１０Ｂに再送する。
【００８６】
また、上述した再送制御例５で説明したように、送信部１４Ａは、送達確認信号がユーザデータを受信することができないことを示すＮＡＣＫである場合に、ユーザデータの再送要求を無線基地局３１０に送信してもよい。
【００８７】
制御部１５Ａは、ＵＥ１０Ａを制御する。具体的には、制御部１５Ａは、ＵＥ１０Ｂから受信する送達確認信号及び無線基地局３１０を経由して受信する送達確認信号に基づいて、ユーザデータをＵＥ１０Ｂに再送するか否かを判断する。すなわち、制御部１５Ａは、ユーザデータの再送制御を行う。制御部１５Ａは、ユーザデータを再送すると判断した場合に、ユーザデータの再送を送信部１４Ａに指示する。
【００８８】
例えば、制御部１５Ａは、ＵＥ１０Ｂ及び無線基地局３１０から受信する送達確認信号のいずれか一方がＮＡＣＫである場合に、ユーザデータをＵＥ１０Ｂに再送すると判断する。或いは、制御部１５Ａは、ＵＥ１０ＡとＵＥ１０Ｂとの間で直接的に行われるユーザデータの通信状態が良好である場合に、無線基地局３１０を経由して受信する送達確認信号を参照せずに、ＵＥ１０Ｂから受信する送達確認信号を参照してもよい。このようなケースにおいて、制御部１５Ａは、無線基地局３１０を経由して受信する送達確認信号を参照するか否かを無線基地局３１０に通知することが好ましい。
【００８９】
（受信側端末）
以下において、第１実施形態に係る受信側端末について説明する。ここでは、受信側端末として、ＵＥ１０Ｂを例示する。図１３は、第１実施形態に係るＵＥ１０Ｂを示すブロック図である。
【００９０】
図１３に示すように、ＵＥ１０Ｂは、受信部１３Ｂと、送信部１４Ｂと、制御部１５Ｂとを有する。
【００９１】
受信部１３Ｂは、セルラ通信において、無線基地局３１０からデータを受信する。受信部１３Ｂは、Ｄ２Ｄ通信において、ＵＥ１０Ａからデータを受信する。例えば、受信部１３Ｂは、Ｄ２Ｄ通信において、ＵＥ１０Ａから送信されたユーザデータ（初送）を受信する。また、送信部１４Ａは、ＵＥ１０Ａから再送されたユーザデータ（再送）を受信する。
【００９２】
送信部１４Ｂは、セルラ通信において、無線基地局３１０にデータを送信する。送信部１４Ｂは、Ｄ２Ｄ通信において、ＵＥ１０Ａにデータを送信する。例えば、送信部１４Ｂは、ユーザデータを受信できたか否かを示す送達確認信号（ＡＣＫ／ＮＡＣＫ）をＵＥ１０Ａに送信してもよい。第１実施形態において、送信部１４Ｂは、Ｄ２Ｄ通信において、送達確認信号（ＡＣＫ／ＮＡＣＫ）を無線基地局３１０に送信してもよい。
【００９３】
制御部１５Ｂは、ＵＥ１０Ｂを制御する。例えば、制御部１５Ｂは、ＵＥ１０Ａから送信されたユーザデータを受信できたか否かを判断し、送達確認信号の送信を送信部１４Ｂに指示する。詳細には、制御部１５Ｂは、ユーザデータを受信できた場合に、ＡＣＫの送信を送信部１４Ｂに指示する。一方で、制御部１５Ｂは、ユーザデータを受信できなかった場合に、ＮＡＣＫの送信を送信部１４Ｂに指示する。
【００９４】
例えば、制御部１５Ｂは、ＵＥ１０ＡとＵＥ１０Ｂとの間で直接的に行われるユーザデータの通信状態が良好である場合に、無線基地局３１０に対する送達確認信号の送信を省略してもよい。言い換えると、制御部１５Ｂは、ＵＥ１０ＡとＵＥ１０Ｂとの間で直接的に行われるユーザデータの通信状態が劣悪である場合に、無線基地局３１０に対する送達確認信号の送信を送信部１４Ｂに指示する。すなわち、送信部１４Ｂは、ユーザデータの通信状態が劣悪である場合に、送達確認信号を無線基地局３１０に送信する。
【００９５】
（無線基地局）
以下において、第１実施形態に係る無線基地局について説明する。図１４は、第１実施形態に係る無線基地局３１０を示すブロック図である。
【００９６】
図１４に示すように、無線基地局３１０は、受信部３１３と、送信部３１４と、制御部３１５とを有する。
【００９７】
受信部３１３は、ＵＥ１０からデータを受信する。例えば、受信部３１３は、Ｄ２Ｄ通信において、ユーザデータを受信できたか否かを示す送達確認信号（ＡＣＫ／ＮＡＣＫ）をＵＥ１０Ｂから受信する。また、受信部３１３は、ＵＥ１０ＡからＵＥ１０Ｂに送信されたユーザデータを受信してもよい。
【００９８】
送信部３１４は、ＵＥ１０にデータを送信する。例えば、送信部３１４は、Ｄ２Ｄ通信において、ＵＥ１０Ｂから受信する送達確認信号（ＡＣＫ／ＮＡＣＫ）に応じて、送達確認信号をＵＥ１０Ａに送信する。例えば、送信部３１４は、ＵＥ１０Ｂから受信する送達確認信号をＵＥ１０Ａに中継してもよい。或いは、送信部３１４は、Ｄ２Ｄ通信においてユーザデータの通信に用いる無線リソースをＵＥ１０Ａに割り当てる信号とともに、送達確認信号をＵＥ１０Ａに送信してもよい。また、送信部３１４は、Ｄ２Ｄ通信において、ユーザデータを受信することができないことを示すＮＡＣＫをＵＥ１０Ｂから受信した場合に、ユーザデータをＵＥ１０Ｂに再送する。或いは、送信部３１４は、Ｄ２Ｄ通信において、ＵＥ１０Ａから再送要求を受信した場合に、ユーザデータをＵＥ１０Ｂに再送する。
【００９９】
制御部３１５は、無線基地局３１０を制御する。具体的には、制御部３１５は、アップリンク及びダウンリンクの無線リソースをＵＥ１０に割当てる。ここで、制御部３１５は、ＵＥ１０ＡとＵＥ１０Ｂとの間で直接的に行われるユーザデータの通信に割当てられた無線リソースを、ユーザデータを受信するための受信リソースとして割当ててもよい。
【０１００】
第１実施形態において、制御部３１５は、Ｄ２Ｄ通信において、受信リソースを用いて受信するユーザデータの受信状態に基づいて、送達確認信号を送信するか否かを判断してもよい。例えば、制御部３１５は、ユーザデータの受信状態が良好である場合に、送達確認信号の送信を省略する旨を送信部３１４に指示する。言い換えると、制御部３１５は、ユーザデータの受信状態が劣悪である場合に、送達確認信号の送信を送信部３１４に指示する。
【０１０１】
第１実施形態において、制御部３１５は、Ｄ２Ｄ通信において、ＵＥ１０Ｂから受信する送達確認信号に基づいて、ユーザデータをＵＥ１０Ｂに再送するか否かを判断する。すなわち、制御部３１５は、ユーザデータの再送制御を行う。制御部３１５は、ユーザデータを再送すると判断した場合に、受信リソースを用いて受信するユーザデータの再送を送信部１４Ａに指示する。
【０１０２】
（移動通信システムの動作）
以下において、第１実施形態に係る移動通信システムの動作について説明する。図１５〜図２０は、第１実施形態に係る移動通信システム１００の動作を示す図である。
【０１０３】
第１に、図５に示す再送制御例１について、図１５を参照しながら説明する。図１５に示すケースでは、Ｄ２Ｄ通信においてユーザデータの通信に用いる無線リソースは、無線基地局３１０によって割当てられており、ユーザデータの再送制御は、ＵＥ１０Ａによって行われる。
【０１０４】
図１５に示すように、ステップ１０において、無線基地局３１０は、ＵＥ１０Ａ及びＵＥ１０Ｂに対して、Ｄ２Ｄ無線リソースの中から、Ｄ２Ｄ通信においてユーザデータの通信に用いる無線リソースを割当てる。無線基地局３１０は、ＵＥ１０Ａ及びＵＥ１０Ｂに対して、割当てられた無線リソースを通知する。
【０１０５】
ステップ２０において、ＵＥ１０Ａは、ステップ１０で割当てられた無線リソースを用いて、ユーザデータ（初送）をＵＥ１０Ｂに送信する。同様に、ＵＥ１０Ｂは、ステップ１０で割当てられた無線リソースを用いて、ユーザデータ（初送）をＵＥ１０Ａから受信する。
【０１０６】
ステップ３０において、ＵＥ１０Ｂは、ユーザデータ（初送）を受信することができたか否かを示す送達確認信号を無線基地局３１０に送信する。ここでは、送達確認信号としてＮＡＣＫが送信されたものとして説明を続ける。
【０１０７】
ステップ４０において、無線基地局３１０は、ＵＥ１０Ｂから受信する送達確認信号に応じて、送達確認信号をＵＥ１０Ａに送信する。ここでは、無線基地局３１０は、ＵＥ１０Ｂから受信する送達確認信号をＵＥ１０Ａに中継してもよい。但し、無線基地局３１０は、Ｄ２Ｄ通信においてユーザデータの通信に用いる無線リソースをＵＥ１０Ａに割り当てる信号とともに、送達確認信号をＵＥ１０Ａに送信してもよい（例えば、ステップ５０）。
【０１０８】
ステップ５０において、無線基地局３１０は、ＵＥ１０Ａ及びＵＥ１０Ｂに対して、Ｄ２Ｄ無線リソースの中から、Ｄ２Ｄ通信においてユーザデータの通信に用いる無線リソースを割当てる。無線基地局３１０は、ＵＥ１０Ａ及びＵＥ１０Ｂに対して、割当てられた無線リソースを通知する。
【０１０９】
ステップ６０において、ＵＥ１０Ａは、ステップ５０で割当てられた無線リソースを用いて、ユーザデータ（再送）をＵＥ１０Ｂに送信する。同様に、ＵＥ１０Ｂは、ステップ５０で割当てられた無線リソースを用いて、ユーザデータ（再送）をＵＥ１０Ａから受信する。
【０１１０】
第２に、図６に示す再送制御例２について、図１６を参照しながら説明する。図１６に示すケースでは、Ｄ２Ｄ通信においてユーザデータの通信に用いる無線リソースは、ＵＥ１０（ＵＥ１０Ａ又はＵＥ１０Ｂ）によって割当てられており、ユーザデータの再送制御は、ＵＥ１０Ａによって行われる。
【０１１１】
図１６に示すように、ステップ１０Ａにおいて、ＵＥ１０（ＵＥ１０Ａ又はＵＥ１０Ｂ）は、Ｄ２Ｄ無線リソースの中から、Ｄ２Ｄ通信においてユーザデータの通信に用いる無線リソースを自律的に割当てる。ＵＥ１０は、他のＵＥ１０に対して、割当てられた無線リソースを通知する。
【０１１２】
ステップ２０Ａにおいて、ＵＥ１０Ａは、ステップ１０Ａで割当てられた無線リソースを用いて、ユーザデータ（初送）をＵＥ１０Ｂに送信する。同様に、ＵＥ１０Ｂは、ステップ１０Ａで割当てられた無線リソースを用いて、ユーザデータ（初送）をＵＥ１０Ａから受信する。
【０１１３】
ステップ３０Ａにおいて、ＵＥ１０Ｂは、ユーザデータ（初送）を受信することができたか否かを示す送達確認信号を無線基地局３１０に送信する。ここでは、送達確認信号としてＮＡＣＫが送信されたものとして説明を続ける。
【０１１４】
ステップ４０Ａにおいて、無線基地局３１０は、ＵＥ１０Ｂから受信する送達確認信号に応じて、送達確認信号をＵＥ１０Ａに送信する。ここでは、無線基地局３１０は、ＵＥ１０Ｂから受信する送達確認信号をＵＥ１０Ａに中継してもよい。但し、無線基地局３１０は、Ｄ２Ｄ通信においてユーザデータの通信に用いる無線リソースをＵＥ１０Ａに割り当てる信号とともに、送達確認信号をＵＥ１０Ａに送信してもよい（例えば、ステップ５０Ａ）。
【０１１５】
ステップ５０Ａにおいて、ＵＥ１０（ＵＥ１０Ａ又はＵＥ１０Ｂ）は、Ｄ２Ｄ無線リソースの中から、Ｄ２Ｄ通信においてユーザデータの通信に用いる無線リソースを自律的に割当てる。ＵＥ１０は、他のＵＥ１０に対して、割当てられた無線リソースを通知する。
【０１１６】
ステップ６０Ａにおいて、ＵＥ１０Ａは、ステップ５０Ａで割当てられた無線リソースを用いて、ユーザデータ（再送）をＵＥ１０Ｂに送信する。同様に、ＵＥ１０Ｂは、ステップ５０Ａで割当てられた無線リソースを用いて、ユーザデータ（再送）をＵＥ１０Ａから受信する。
【０１１７】
第３に、図７に示す再送制御例３について、図１７を参照しながら説明する。図１７に示すケースでは、Ｄ２Ｄ通信においてユーザデータの通信に用いる無線リソースは、ＵＥ１０（ＵＥ１０Ａ又はＵＥ１０Ｂ）によって割当てられており、ユーザデータの再送制御は、ＵＥ１０Ａによって行われる。
【０１１８】
図１７に示すように、ステップ１０Ｂにおいて、ＵＥ１０（ＵＥ１０Ａ又はＵＥ１０Ｂ）は、Ｄ２Ｄ無線リソースの中から、Ｄ２Ｄ通信においてユーザデータの通信に用いる無線リソースを自律的に割当てる。ＵＥ１０は、他のＵＥ１０に対して、割当てられた無線リソースを通知する。
【０１１９】
ステップ２０Ｂにおいて、ＵＥ１０Ａは、ステップ１０Ｂで割当てられた無線リソースを用いて、ユーザデータ（初送）をＵＥ１０Ｂに送信する。同様に、ＵＥ１０Ｂは、ステップ１０Ｂで割当てられた無線リソースを用いて、ユーザデータ（初送）をＵＥ１０Ａから受信する。
【０１２０】
ステップ３０Ｂにおいて、ＵＥ１０Ｂは、ユーザデータ（初送）を受信することができたか否かを示す送達確認信号をＵＥ１０Ａに送信する。ここでは、送達確認信号としてＮＡＣＫが送信されたものとして説明を続ける。
【０１２１】
ステップ５０Ｂにおいて、ＵＥ１０（ＵＥ１０Ａ又はＵＥ１０Ｂ）は、Ｄ２Ｄ無線リソースの中から、Ｄ２Ｄ通信においてユーザデータの通信に用いる無線リソースを自律的に割当てる。ＵＥ１０は、他のＵＥ１０に対して、割当てられた無線リソースを通知する。
【０１２２】
ステップ６０Ｂにおいて、ＵＥ１０Ａは、ステップ５０Ｂで割当てられた無線リソースを用いて、ユーザデータ（再送）をＵＥ１０Ｂに送信する。同様に、ＵＥ１０Ｂは、ステップ５０Ｂで割当てられた無線リソースを用いて、ユーザデータ（再送）をＵＥ１０Ａから受信する。
【０１２３】
第４に、図８に示す再送制御例４について、図１８を参照しながら説明する。図１８に示すケースでは、Ｄ２Ｄ通信においてユーザデータの通信に用いる無線リソースは、無線基地局３１０によって割当てられており、ユーザデータの再送制御は、無線基地局３１０によって行われる。図１８に示すケースでは、無線基地局３１０は、ＵＥ１０ＡとＵＥ１０Ｂとの間で直接的に行われるユーザデータの通信に割当てられた無線リソースを、ユーザデータを受信するための受信リソースとして割当てることに留意すべきである。
【０１２４】
図１８に示すように、ステップ１０Ｃにおいて、無線基地局３１０は、ＵＥ１０Ａ及びＵＥ１０Ｂに対して、Ｄ２Ｄ無線リソースの中から、Ｄ２Ｄ通信においてユーザデータの通信に用いる無線リソースを割当てる。無線基地局３１０は、ＵＥ１０Ａ及びＵＥ１０Ｂに対して、割当てられた無線リソースを通知する。
【０１２５】
ステップ２０Ｃにおいて、ＵＥ１０Ａは、ステップ１０Ｃで割当てられた無線リソースを用いて、ユーザデータ（初送）をＵＥ１０Ｂ及び無線基地局３１０に送信する。同様に、ＵＥ１０Ｂ及び無線基地局３１０は、ステップ１０Ｃで割当てられた無線リソースを用いて、ユーザデータ（初送）をＵＥ１０Ａから受信する。
【０１２６】
ステップ３０Ｃにおいて、ＵＥ１０Ｂは、ユーザデータ（初送）を受信することができたか否かを示す送達確認信号を無線基地局３１０に送信する。ここでは、送達確認信号としてＮＡＣＫが送信されたものとして説明を続ける。
【０１２７】
ステップ５０Ｃにおいて、無線基地局３１０は、ＵＥ１０Ｂに対して、Ｄ２Ｄ無線リソースの中から、Ｄ２Ｄ通信においてユーザデータの通信に用いる無線リソースを割当てる。無線基地局３１０は、ＵＥ１０Ｂに対して、割当てられた無線リソースを通知する。
【０１２８】
ステップ６０Ｃにおいて、無線基地局３１０は、ステップ５０Ｃで割当てられた無線リソースを用いて、ユーザデータ（再送）をＵＥ１０Ｂに送信する。同様に、ＵＥ１０Ｂは、ステップ５０で割当てられた無線リソースを用いて、ユーザデータ（再送）を無線基地局３１０から受信する。
【０１２９】
第５に、図９に示す再送制御例５について、図１９を参照しながら説明する。図１９に示すケースでは、Ｄ２Ｄ通信においてユーザデータの通信に用いる無線リソースは、無線基地局３１０によって割当てられており、ユーザデータの再送制御は、無線基地局３１０によって行われる。図１９に示すケースでは、無線基地局３１０は、ＵＥ１０ＡとＵＥ１０Ｂとの間で直接的に行われるユーザデータの通信に割当てられた無線リソースを、ユーザデータを受信するための受信リソースとして割当てることに留意すべきである。
【０１３０】
図１９に示すように、ステップ１０Ｄにおいて、無線基地局３１０は、ＵＥ１０Ａ及びＵＥ１０Ｂに対して、Ｄ２Ｄ無線リソースの中から、Ｄ２Ｄ通信においてユーザデータの通信に用いる無線リソースを割当てる。無線基地局３１０は、ＵＥ１０Ａ及びＵＥ１０Ｂに対して、割当てられた無線リソースを通知する。
【０１３１】
ステップ２０Ｄにおいて、ＵＥ１０Ａは、ステップ１０Ｄで割当てられた無線リソースを用いて、ユーザデータ（初送）をＵＥ１０Ｂ及び無線基地局３１０に送信する。同様に、ＵＥ１０Ｂ及び無線基地局３１０は、ステップ１０Ｄで割当てられた無線リソースを用いて、ユーザデータ（初送）をＵＥ１０Ａから受信する。
【０１３２】
ステップ３０Ｄにおいて、ＵＥ１０Ｂは、ユーザデータ（初送）を受信することができたか否かを示す送達確認信号をＵＥ１０Ａに送信する。ここでは、送達確認信号としてＮＡＣＫが送信されたものとして説明を続ける。
【０１３３】
ステップ４０Ｄにおいて、ＵＥ１０Ａは、ユーザデータの再送要求を無線基地局３１０に送信する。
【０１３４】
ステップ５０Ｄにおいて、無線基地局３１０は、ＵＥ１０Ｂに対して、Ｄ２Ｄ無線リソースの中から、Ｄ２Ｄ通信においてユーザデータの通信に用いる無線リソースを割当てる。無線基地局３１０は、ＵＥ１０Ｂに対して、割当てられた無線リソースを通知する。
【０１３５】
ステップ６０Ｄにおいて、無線基地局３１０は、ステップ５０Ｄで割当てられた無線リソースを用いて、ユーザデータ（再送）をＵＥ１０Ｂに送信する。同様に、ＵＥ１０Ｂは、ステップ５０Ｄで割当てられた無線リソースを用いて、ユーザデータ（再送）を無線基地局３１０から受信する。
【０１３６】
第６に、無線基地局３１０によってユーザデータの再送制御を行う別の再送制御例について、図２０を参照しながら説明する。図２０に示すケースでは、Ｄ２Ｄ通信においてユーザデータの通信に用いる無線リソースは、ＵＥ１０（ここでは、ＵＥ１０Ａ）によって割当てられており、ユーザデータの再送制御は、無線基地局３１０によって行われる。但し、Ｄ２Ｄ通信においてユーザデータの通信に用いる無線リソースは、ＵＥ１０Ｂによって割当てられてもよい。図２０に示すケースでは、無線基地局３１０は、ＵＥ１０ＡとＵＥ１０Ｂとの間で直接的に行われるユーザデータの通信に割当てられた無線リソースを、ユーザデータを受信するための受信リソースとして割当てることに留意すべきである。
【０１３７】
図２０に示すように、ステップ１０Ｅにおいて、ＵＥ１０Ａは、Ｄ２Ｄ無線リソースの中から、Ｄ２Ｄ通信においてユーザデータの通信に用いる無線リソースを自律的に割当てる。ＵＥ１０は、他のＵＥ１０に対して、割当てられた無線リソースを通知する。
【０１３８】
ステップ１５Ｅにおいて、ＵＥ１０Ａは、ステップ１０Ｅで割当てられた無線リソースを無線基地局３１０に通知する。
【０１３９】
ステップ２０Ｅにおいて、ＵＥ１０Ａは、ステップ１０Ｅで割当てられた無線リソースを用いて、ユーザデータ（初送）をＵＥ１０Ｂ及び無線基地局３１０に送信する。同様に、ＵＥ１０Ｂ及び無線基地局３１０は、ステップ１０Ｅで割当てられた無線リソースを用いて、ユーザデータ（初送）をＵＥ１０Ａから受信する。
【０１４０】
ステップ３０Ｅにおいて、ＵＥ１０Ｂは、ユーザデータ（初送）を受信することができたか否かを示す送達確認信号をＵＥ１０Ａに送信する。ここでは、送達確認信号としてＮＡＣＫが送信されたものとして説明を続ける。
【０１４１】
ステップ５０Ｅにおいて、ＵＥ１０Ａは、Ｄ２Ｄ無線リソースの中から、Ｄ２Ｄ通信においてユーザデータの通信に用いる無線リソースを自律的に割当てる。ＵＥ１０Ａは、ＵＥ１０Ｂに対して、割当てられた無線リソースを通知する。
【０１４２】
ステップ５５Ｅにおいて、ＵＥ１０Ａは、ユーザデータの再送要求とともに、ステップ５０Ｅで割当てられた無線リソースを無線基地局３１０に通知する。
【０１４３】
ステップ６０Ｅにおいて、無線基地局３１０は、ステップ５０Ｅで割当てられた無線リソースを用いて、ユーザデータ（再送）を送信する。同様に、ＵＥ１０Ｂは、ステップ５０Ｅで割当てられた無線リソースを用いて、ユーザデータ（再送）を無線基地局３１０から受信する。
【０１４４】
（作用及び効果）
第１実施形態では、ＵＥ１０Ｂ（受信側端末）は、送達確認信号を無線基地局３１０に送信する。従って、ユーザデータの再送制御を適切に行うことが可能である。
【０１４５】
例えば、複数のＵＥ１０の間で通信されるユーザデータを無線基地局３１０が受信する場合には、送達確認信号が無線基地局３１０に送信されるため、無線基地局３１０がユーザデータの再送制御を行うことができる。一方で、ＵＥ１０Ａ（送信側端末）がユーザデータの再送制御を行う場合には、無線基地局３１０が送達確認信号を送信側端末に送信すればよい。
【０１４６】
第１実施形態では、無線基地局３１０は、複数のＵＥ１０の間で直接的に通信されるユーザデータを受信するための受信リソースを割当てる。すなわち、無線基地局は、複数のＵＥ１０の間で通信されるユーザデータを無線基地局３１０が受信することができる。従って、例えば、送達確認信号を無線基地局３１０に送信することによって、無線基地局３１０によってユーザデータの再送制御を行うことができる。
【０１４７】
［変更例１］
以下において、第１実施形態の変更例１について説明する。以下においては、第１実施形態に対する差異について主として説明する。
【０１４８】
変更例１では、無線基地局３１０（制御部３１５）は、ＵＥ１０ＡとＵＥ１０Ｂとの間で直接的に行われるユーザデータの通信に割当てられた無線リソースを、ユーザデータを受信するための受信リソースとして割当てるか否かを判断する。具体的には、無線基地局３１０（制御部３１５）は、ＵＥ１０ＡとＵＥ１０Ｂとの間で直接的に行われるユーザデータの通信状態が劣悪である場合に、ユーザデータの通信に割当てられた無線リソースを、ユーザデータを受信するための受信リソースとして割当てる。同様に、無線基地局３１０（送信部３１４及び制御部３１５）は、ＵＥ１０ＡとＵＥ１０Ｂとの間で直接的に行われるユーザデータの通信状態が劣悪である場合に、ユーザデータの再送制御を行う。
【０１４９】
ここで、無線基地局３１０（受信部３１３）は、ユーザデータの直接的な通信を制御するためのＤ２Ｄ制御信号をＵＥ１０（ＵＥ１０Ａ又はＵＥ１０Ｂ）から受信することが好ましい。このようなケースでは、無線基地局３１０（制御部３１５）は、Ｄ２Ｄ制御信号に基づいて、ＵＥ１０ＡとＵＥ１０Ｂとの間で直接的に通信されるユーザデータを受信するための受信リソースを割当てるか否かを判断する。同様に、無線基地局３１０（送信部３１４及び制御部３１５）は、Ｄ２Ｄ制御信号に基づいて、ユーザデータの再送制御を行うか否かを判断する。
【０１５０】
変更例１において、Ｄ２Ｄ制御信号は、ＵＥ１０Ａ（送信部１４Ａ）から無線基地局３１０に送信されてもよく、ＵＥ１０Ｂ（送信部１４Ｂ）から無線基地局３１０に送信されてもよい。
【０１５１】
Ｄ２Ｄ制御信号は、ＵＥ１０Ａから送信されたユーザデータを受信側端末が受信することができたか否かを示す送達確認信号、ユーザデータの通信に用いる送信電力及びユーザデータの通信に用いる変調符号化方式のうち、少なくともいずれか１つであることが好ましい。このようなケースでは、ＵＥ１０ＡとＵＥ１０Ｂとの間で直接的に行われるユーザデータの通信状態が劣悪であるか否かをＤ２Ｄ制御信号に基づいて無線基地局３１０（制御部３１５）が判断することに留意すべきである。
【０１５２】
或いは、Ｄ２Ｄ制御信号は、ユーザデータの再送制御を要求する信号、ユーザデータの通信に用いる送信電力が閾値を上回ったことを示す信号及びユーザデータの通信に用いる変調符号化方式が閾値を下回ったことを示す信号のうち、少なくともいずれか１つであることが好ましい。このようなケースでは、無線基地局３１０（制御部３１５）は、ＵＥ１０ＡとＵＥ１０Ｂとの間で直接的に行われるユーザデータの通信状態が劣悪であるか否かを判断することに留意すべきである。
【０１５３】
或いは、Ｄ２Ｄ制御信号は、ユーザデータの通信に用いる送信電力が閾値を下回ったことを示す信号及びユーザデータの通信に用いる変調符号化方式が閾値を上回ったことを示す信号のうち、少なくともいずれか１つであってもよい。このようなケースでは、無線基地局３１０（制御部３１５）は、ＵＥ１０ＡとＵＥ１０Ｂとの間で直接的に行われるユーザデータの通信状態が良好であるか否かを判断することが可能である。
【０１５４】
或いは、Ｄ２Ｄ制御信号は、ＵＥ１０ＡとＵＥ１０Ｂとの間で直接的に行われるユーザデータの通信に割当てられた無線リソースを、ユーザデータを受信するための受信リソースとして無線基地局３１０が割当てるか否かを指示する信号であってもよい。
【０１５５】
（移動通信システムの動作）
以下において、変更例１に係る移動通信システムの動作について説明する。図２１〜図２２は、変更例１に係る移動通信システム１００の動作を示す図である。
【０１５６】
第１に、Ｄ２Ｄ通信におけるユーザデータの通信状態が劣悪であるか否かを無線基地局３１０が判断するケースについて、図２１を参照しながら説明する。
【０１５７】
図２１に示すように、ステップ１１０において、無線基地局３１０は、ＵＥ１０Ａ及びＵＥ１０Ｂに対して、Ｄ２Ｄ無線リソースの中から、Ｄ２Ｄ通信においてユーザデータの通信に用いる無線リソースを割当てる。無線基地局３１０は、ＵＥ１０Ａ及びＵＥ１０Ｂに対して、割当てられた無線リソースを通知する。
【０１５８】
ステップ１２０において、ＵＥ１０Ａは、Ｄ２Ｄ制御信号を無線基地局３１０に送信する。ここで、Ｄ２Ｄ制御信号は、ＵＥ１０Ａから送信されたユーザデータを受信側端末が受信することができたか否かを示す送達確認信号、ユーザデータの通信に用いる送信電力及びユーザデータの通信に用いる変調符号化方式のうち、少なくともいずれか１つであることが好ましい。
【０１５９】
ステップ１３０において、無線基地局３１０は、ＵＥ１０ＡとＵＥ１０Ｂとの間で直接的に通信されるユーザデータを受信するか否か（ユーザデータの同時受信を行うか否か）を判断する。詳細には、無線基地局３１０は、ＵＥ１０ＡとＵＥ１０Ｂとの間で直接的に行われるユーザデータの通信状態が劣悪である場合に、ユーザデータの同時受信を行うと判断する。
【０１６０】
具体的には、無線基地局３１０は、Ｄ２Ｄ制御信号に基づいて、ユーザデータの通信状態が劣悪であるか否かを判断する。例えば、無線基地局３１０は、送達確認信号がＮＡＣＫである場合に、ユーザデータの通信状態が劣悪であると判断する。或いは、無線基地局３１０は、ユーザデータの通信に用いる送信電力が閾値を上回っている場合に、ユーザデータの通信状態が劣悪であると判断する。或いは、無線基地局３１０は、ユーザデータの通信に用いる変調符号化方式が閾値を下回っている場合に、ユーザデータの通信状態が劣悪であると判断する。
【０１６１】
判定結果が”ＹＥＳ”である場合には、無線基地局３１０は、ステップ１４０の処理を行う。判定結果が”ＮＯ”である場合には、無線基地局３１０は、一連の処理を終了する。
【０１６２】
ステップ１４０において、無線基地局３１０は、ＵＥ１０ＡとＵＥ１０Ｂとの間で直接的に通信されるユーザデータを受信するための受信リソースを割当てる。
【０１６３】
ステップ１５０において、ＵＥ１０Ａは、ステップ１１０で割当てられた無線リソースを用いて、ユーザデータ（初送）を送信する。同様に、ＵＥ１０Ｂ及び無線基地局３１０は、ステップ１１０で割当てられた無線リソースを用いて、ユーザデータ（初送）をＵＥ１０Ａから受信する。
【０１６４】
或いは、ステップ１４０とステップ１５０との間において、ＵＥ１０Ａ及びＵＥ１０Ｂに対して、Ｄ２Ｄ無線リソースの中から、Ｄ２Ｄ通信においてユーザデータの通信に用いる無線リソースを無線基地局３１０が改めて割当てるステップが設けられてもよい。
【０１６５】
ここで、ユーザデータの同時受信が行われない場合には、無線基地局３１０がユーザデータの再送を行うことができないことに留意すべきである。すなわち、ユーザデータの通信状態が良好である場合には、ユーザデータの再送制御が行われないことに留意すべきである。
【０１６６】
第２に、Ｄ２Ｄ通信におけるユーザデータの通信状態が劣悪であるか否かをＵＥ１０（ここでは、ＵＥ１０Ａ）が判断するケースについて、図２２を参照しながら説明する。図２２では、図２１と同様の処理について、同様の符号を付している。
【０１６７】
図２２に示すように、ステップ１１５において、ＵＥ１０Ａは、ＵＥ１０ＡとＵＥ１０Ｂとの間で直接的に通信されるユーザデータを無線基地局３１０に受信させるか否か（ユーザデータの同時受信を無線基地局３１０に行わせるか否か）を判断する。詳細には、ＵＥ１０Ａは、ＵＥ１０ＡとＵＥ１０Ｂとの間で直接的に行われるユーザデータの通信状態が劣悪である場合に、ユーザデータの同時受信を行うと判断する。
【０１６８】
具体的には、ＵＥ１０Ａは、ユーザデータの通信に用いる送信電力が閾値を上回っている場合に、ユーザデータの通信状態が劣悪であると判断する。或いは、ＵＥ１０Ａは、ユーザデータの通信に用いる変調符号化方式が閾値を下回っている場合に、ユーザデータの通信状態が劣悪であると判断する。
【０１６９】
判定結果が”ＹＥＳ”である場合には、ＵＥ１０Ａは、ステップ１２０の処理を行う。判定結果が”ＮＯ”である場合には、ＵＥ１０Ａは、一連の処理を終了する。
【０１７０】
ここで、ステップ１２０において、ＵＥ１０Ａは、Ｄ２Ｄ制御信号を無線基地局３１０に送信する。ここで、Ｄ２Ｄ制御信号は、ユーザデータの再送制御を要求する信号、ユーザデータの通信に用いる送信電力が閾値を上回ったことを示す信号及びユーザデータの通信に用いる変調符号化方式が閾値を下回ったことを示す信号のうち、少なくともいずれか１つであることが好ましい。
【０１７１】
図２２に示すケースでは、無線基地局３１０は、Ｄ２Ｄ制御信号を受信すると、ＵＥ１０ＡとＵＥ１０Ｂとの間で直接的に通信されるユーザデータを受信するための受信リソースを割当てることに留意すべきである。
【０１７２】
図２２に示すケースでは、Ｄ２Ｄ制御信号は、ＵＥ１０Ａによって送信されているが、実施形態は、これに限定されるものではない。Ｄ２Ｄ制御信号は、ＵＥ１０Ｂによって送信されてもよい。
【０１７３】
（作用及び効果）
変更例１では、無線基地局３１０は、ユーザデータの通信状態が劣悪である場合に、ＵＥ１０ＡとＵＥ１０Ｂとの間で直接的に通信されるユーザデータを受信するための受信リソースを割当てる。言い換えると、無線基地局３１０は、ユーザデータの通信状態が良好である場合に、ＵＥ１０ＡとＵＥ１０Ｂとの間で直接的に通信されるユーザデータを受信するための受信リソースを割当てない。すなわち、ユーザデータの通信状態が良好である場合に、ＵＥ１０ＡとＵＥ１０Ｂとの間で直接的に通信されるユーザデータを受信するための受信リソースは、他のＵＥ１０から上りリンクデータを受信するために用いることが可能である。従って、無線基地局３１０の受信リソースを有効に利用することができる。
【０１７４】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１７５】
実施形態では、Ｄ２Ｄ通信において、２つのＵＥ１０が通信を行うケースについて例示した。しかしながら、実施形態は、これに限定されるものではない。具体的には、Ｄ２Ｄ通信において、３つ以上のＵＥ１０が通信を行ってもよい。
【０１７６】
変更例１では、ＵＥ１０ＡとＵＥ１０Ｂとの間で直接的に行われるユーザデータの通信状態は、主として、ユーザデータの通信に用いる送信電力、又は、ユーザデータの通信に用いる変調符号化方式に基づいて判断される。しかしながら、実施形態はこれに限定されるものではない。ＵＥ１０ＡとＵＥ１０Ｂとの間で直接的に行われるユーザデータの通信状態は、ブロックエラーレート、パケットエラーレート、ＱｏＳが満たされているか否か、ＣＱＩ及びＵＥ１０Ａの処理負荷のいずれか１つに基づいて判断されてもよい。
【０１７７】
変更例１では、ＵＥ１０ＡとＵＥ１０Ｂとの間で直接的に行われるユーザデータの通信状態が劣悪である否かが判断される。しかしながら、実施形態は、これに限定されるものではない。ＵＥ１０ＡとＵＥ１０Ｂとの間で直接的に行われるユーザデータの通信状態が良好である否かが判断されてもよい。このようなケースでは、図２１に示すステップ１３０の判定結果については、”ＹＥＳ”と”ＮＯ”が逆になることに留意すべきである。同様に、図２２に示すステップ１１５の判定結果については、”ＹＥＳ”と”ＮＯ”が逆になることに留意すべきである。
【０１７８】
上述した実施形態では特に触れていないが、ＵＥ１０（ＵＥ１０Ａ又はＵＥ１０Ｂ）が行う各処理をコンピュータに実行させるプログラムが提供されてもよい。また、プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。
【０１７９】
或いは、ＵＥ１０（ＵＥ１０Ａ又はＵＥ１０Ｂ）が行う各処理を実行するためのプログラムを記憶するメモリ及びメモリに記憶されたプログラムを実行するプロセッサによって構成されるチップが提供されてもよい。
【０１８０】
このように、本発明は、ここでは記載していない様々な実施の形態などを含むことは勿論である。また、上述した実施形態及び変更例は、組み合わせることが可能である。したがって、本発明の技術的範囲は、上述の説明から妥当な請求の範囲に係る発明特定事項によってのみ定められる。
【０１８１】
なお、米国仮出願第６１／６６４，９２７号（２０１２年６月２７日出願）の全内容が、参照により、本願に組み込まれている。
【産業上の利用可能性】
【０１８２】
本発明によれば、ユーザデータの再送制御を行う移動通信システム、無線端末、無線基地局、移動通信方法及びプロセッサを提供することができる。
【図１】
2014003021.tif 000003
【図２】
2014003021.tif 000004
【図３】
2014003021.tif 000005
【図４】
2014003021.tif 000006
【図５】
2014003021.tif 000007
【図６】
2014003021.tif 000008
【図７】
2014003021.tif 000009
【図８】
2014003021.tif 000010
【図９】
2014003021.tif 000011
【図１０】
2014003021.tif 000012
【図１１】
2014003021.tif 000013
【図１２】
2014003021.tif 000014
【図１３】
2014003021.tif 000015
【図１４】
2014003021.tif 000016
【図１５】
2014003021.tif 000017
【図１６】
2014003021.tif 000018
【図１７】
2014003021.tif 000019
【図１８】
2014003021.tif 000020
【図１９】
2014003021.tif 000021
【図２０】
2014003021.tif 000022
【図２１】
2014003021.tif 000023
【図２２】
2014003021.tif 000024
【手続補正書】
【提出日】平成27年10月26日(2015.10.26)
【手続補正１】
【補正対象書類名】特許請求の範囲
【補正対象項目名】全文
【補正方法】変更
【補正の内容】
【特許請求の範囲】
【請求項１】
第１の無線端末と第２の無線端末とを含む複数の無線端末の間でユーザデータの通信を、無線基地局を介さずに直接的に行う移動通信システムであって、
前記複数の無線端末の間で直接的に行われるユーザデータの通信は、前記移動通信システムに割り当てられた無線リソースのうち、一部の無線リソースを用いて行われており、
前記無線基地局は、
前記複数の無線端末の間で直接的に行われるユーザデータの通信に割当てられた無線リソースを、前記ユーザデータを受信するための受信リソースとして割当てる基地局側制御部と、
前記第１の無線端末から送信されたユーザデータを前記無線基地局が再送するためのＤ２Ｄ制御信号を前記第１の無線端末から受信する基地局側受信部と、
前記Ｄ２Ｄ制御信号に基づいて、前記第２の無線端末へ前記ユーザデータを再送する基地局側送信部と、を備えることを特徴とする移動通信システム。
【請求項２】
前記基地局側送信部は、前記第１の無線端末から送信された前記ユーザデータを前記第２の無線端末が受信することができたか否かを示す送達確認信号に基づく前記Ｄ２Ｄ制御信号に基づいて、前記第２の無線端末へ前記ユーザデータを再送することを特徴とする請求項１に記載の移動通信システム。
【請求項３】
前記基地局側制御部は、前記複数の無線端末の間で直接的に行われるユーザデータの通信状態が劣悪である場合に、前記受信リソースを割当てることを特徴とする請求項１に記載の移動通信システム。
【請求項４】
前記基地局側送信部は、前記複数の無線端末の間で直接的に行われるユーザデータの通信状態が劣悪である場合に、前記ユーザデータを再送することを特徴とする請求項２に記載の移動通信システム。
【請求項５】
前記第１の無線端末は、前記第１の無線端末から送信された前記ユーザデータを前記第２の無線端末が受信できないことを示す送達確認信号を前記第２の無線端末から受信した場合に、前記Ｄ２Ｄ制御信号を前記無線基地局に送信する端末側送信部を備えることを特徴とする請求項１に記載の移動通信システム。
【請求項６】
前記第１の無線端末は、前記Ｄ２Ｄ制御信号を送信する場合には、前記複数の無線端末の間で直接的に行われる前記ユーザデータの通信に用いられる無線リソースの情報を前記無線基地局に送信する請求項１に記載の移動通信システム。
【請求項７】
前記基地局側送信部は、前記無線リソースの情報に基づいて、前記第２の無線端末へ前記ユーザデータを再送する請求項６に記載の移動通信システム。
【請求項８】
複数の無線端末の間でユーザデータの通信を、無線基地局を介さずに直接的に行う移動通信システムで用いる無線端末であって、
前記複数の無線端末の間で直接的に行われるユーザデータの通信は、前記移動通信システムに割り当てられた無線リソースのうち、一部の無線リソースを用いて行われており、
前記無線端末から送信されたユーザデータを前記無線基地局が前記複数の無線端末に含まれる他の無線端末へ再送するためのＤ２Ｄ制御信号を前記無線基地局に送信する端末側送信部を備えることを特徴とする無線端末。
【請求項９】
前記端末側送信部は、前記無線端末から送信された前記ユーザデータを前記他の無線端末が受信できないことを示す送達確認信号を前記他の無線端末から受信した場合に、前記Ｄ２Ｄ制御信号を前記無線基地局に送信する請求項８に記載の無線端末。
【請求項１０】
前記端末側送信部は、前記Ｄ２Ｄ制御信号を送信する場合には、前記複数の無線端末の間で直接的に行われる前記ユーザデータの通信に用いられる無線リソースの情報を前記無線基地局に送信する請求項８に記載の無線端末。
【請求項１１】
第１の無線端末と第２の無線端末とを含む複数の無線端末の間でユーザデータの通信を、無線基地局を介さずに直接的に行う移動通信システムで用いる無線基地局であって、
前記複数の無線端末の間で直接的に行われるユーザデータの通信は、移動通信システムに割り当てられた無線リソースのうち、一部の無線リソースを用いて行われており、
前記複数の無線端末の間で直接的に行われるユーザデータの通信に割当てられた無線リソースを、前記ユーザデータを受信するための受信リソースとして割当てる基地局側制御部と、
前記第１の無線端末から送信されたユーザデータを前記無線基地局が再送するためのＤ２Ｄ制御信号を前記第１の無線端末から受信する基地局側受信部と、
前記Ｄ２Ｄ制御信号に基づいて、前記第２の無線端末へ前記ユーザデータを再送する基地局側送信部と、を備えることを特徴とする無線基地局。
【請求項１２】
第１の無線端末と第２の無線端末とを含む複数の無線端末の間でユーザデータの通信を、無線基地局を介さずに直接的に行う移動通信システムで用いる移動通信方法であって、
前記複数の無線端末の間で直接的に行われるユーザデータの通信は、前記移動通信システムに割り当てられた無線リソースのうち、一部の無線リソースを用いて行われており、
前記無線基地局が、前記複数の無線端末の間で直接的に行われるユーザデータの通信に割当てられた無線リソースを、前記ユーザデータを受信するための受信リソースとして割当てるステップと、
前記無線基地局が、前記第１の無線端末から送信されたユーザデータを前記無線基地局が再送するためのＤ２Ｄ制御信号を前記第１の無線端末から受信するステップと、
前記無線基地局が、前記Ｄ２Ｄ制御信号に基づいて、前記第２の無線端末へ前記ユーザデータを再送するステップと、を備えることを特徴とする移動通信方法。
【請求項１３】
複数の無線端末の間でユーザデータの通信を、無線基地局を介さずに直接的に行う移動通信システムで用いる無線端末に処理を実行させるプロセッサであって、
前記複数の無線端末の間で直接的に行われるユーザデータの通信は、前記移動通信システムに割り当てられた無線リソースのうち、一部の無線リソースを用いて行われており、
前記無線端末から送信されたユーザデータを前記無線基地局が前記複数の無線端末に含まれる他の無線端末へ再送するためのＤ２Ｄ制御信号を前記無線基地局に送信する処理を前記無線端末に実行させることを特徴とするプロセッサ。
【国際調査報告】
2014003021.tif 000025
2014003021.tif 000026
2014003021.tif 000027
2014003021.tif 000028